(57)【要約】【課題】個人の体型に合わせて長さ調整ができるとともに、体液排出量が多い場合でも十分対応可能な吸収性能を備える吸収性物品を提供する。【解決手段】吸収体４は、生理用ナプキン１の長手方向に沿って複数の吸収体４Ａ、４Ｂが互いに重ね代７をもって連設され、裏面シート２には、該裏面シート２を生理用ナプキン１の長手方向に折り畳むとともに、この折り畳み状態からの展開を段階的に拘束した折り畳み部８、９…が形成され、連設された複数の吸収体４Ａ、４Ｂの内、前側吸収体４Ａ及び／又は後側吸収体４Ｂを引き出すことにより生理用ナプキン１の長手寸法を調整可能とした。【選択図】図２
2008080045.tif 000002
【特許請求の範囲】
【請求項１】
透液性表面シートと裏面シートとの間に吸収体が介在された吸収性物品において、
前記吸収体は、吸収性物品の長手方向に沿って複数の吸収体が互いに重ね代をもって連設され、前記透液性表面シート及び裏面シートは伸縮可能なように中間に折り畳み部を有し、
前記連設された複数の吸収体の内、前部側及び／又は後部側吸収体を引き出すことにより前記吸収性物品の長手寸法を調整可能としたことを特徴とする吸収性物品。
【請求項２】
前記吸収体は、吸収性物品の長手方向に沿って互いに重ね代をもって連設された２枚の吸収体である請求項１記載の吸収性物品。
【請求項３】
前記裏面シートに形成された折り畳み部は、裏面シートを前記吸収性物品の長手方向に折り畳むとともに、この折り畳み状態からの展開を段階的に拘束した折り畳み部である請求項１、２いずれかに記載の吸収性物品。
【請求項４】
前記折り畳み部は、吸収性物品の長手方向に間隔をおいて裏面シートが内側に折り畳まれた折り畳み部が複数設けられるとともに、各折り畳み部の内面側で剥離可能に接合されるとともに、各折り畳み部での接合強度を異ならせることにより折り畳み状態からの展開を段階的に拘束するようにした請求項３記載の吸収性物品。
【請求項５】
前記吸収体の重ね代部分において、一方側吸収体の端部中央に他方側吸収体側に向かって突出する突出片部を設けてある請求項１〜４いずれかに記載の吸収性物品。
【請求項６】
前記吸収体の重ね代部分において、横ズレ拘束手段を備える請求項１〜５いずれかに記載の吸収性物品。
【請求項７】
前記横ズレ拘束手段は、吸収体同士を透液性のシート材によって幅方向に巻回したものである請求項６記載の吸収性物品。
【請求項８】
前記各吸収体は、吸収性物品の長手寸法の調整を阻害しない領域にて、前記透液性表面シート及び／又は裏面シートと接合されている請求項１〜７いずれかに記載の吸収性物品。
【発明の詳細な説明】
【技術分野】
【０００１】
本発明は、主には生理用ナプキン、おりものシート、失禁パッド、医療用パッド、トイレタリー等に使用される吸収性物品に係り、長さ調整機能および十分な吸収性能を備えることによって、個人の体型差又は生理状態に適合できるようにした吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に粉砕パルプ等の紙綿からなる吸収体を介在したものが知られている。
【０００３】
この種の吸収性物品においては、個人の体型差や生理状態に応じて、Ｓ、Ｍ、Ｌ等のサイズ違いや昼用、夜用等のサイズ及び構造違いのものが提供されている。また、例えば下記特許文献１に示されるように、使用状態に応じて前漏れや後漏れを効果的に防止するため、排血部位より前側及び後側長さを最適に構成したものも提案されている。具体的には、就寝時間帯における前漏れと後漏れとを同時に防止すべく、特定構造部中心より腹側前端部までの長さよりも背側後端部までの長さを長く形成した夜用生理用ナプキンや、着席姿勢および起立姿勢時における特に前漏れを防止すべく、体液排出口相応位置から腹側前端部までの長さを相対的に長く形成した昼用生理用ナプキンが記載されている。
【特許文献１】特開２００１−２７６１２３号公報
【発明の開示】
【発明が解決しようとする課題】
【０００４】
しかしながら、サイズ違いのナプキンや上記特許文献１記載のナプキンのように、使用状況に応じてナプキン形状及び構造を変えた場合であっても、それぞれ個人の体型が異なるため、長すぎてムレを感じたり、逆に短すぎて漏れが発生したりする問題があった。また、当然のことながら、経血等の排出量には個人差があり、また同一人であっても生理期間の経過とともに変動するものであるため、ある程度十分な吸収性能を備えたナプキンが必要であった。
【０００５】
また、製造者側にとっては、上述のようなニーズに応えるため、体型別に応じた各種長さのナプキンや、経血等の排出量に応じた各種吸収性能を備えたナプキンを提供しなければならず、製造コストが増大する問題があった。
【０００６】
一方、使用者にとっては、自己の体型に適合する長さのナプキンや、経血等の排出量に応じた吸収性能を有するナプキンを選択する必要が生じる。このため、多種多様のナプキンの中から最適なものを選択する困難性や、複数種のナプキンを買い揃えておく経済的負担および収納場所の確保などに問題があった。
【０００７】
そこで本発明の主たる課題は、個人の体型に合わせて長さ調整ができるとともに、体液排出量が多い場合でも十分対応可能な吸収性能を備える吸収性物品を提供することにある。
【課題を解決するための手段】
【０００８】
前記課題を解決するために請求項１に係る本発明として、透液性表面シートと裏面シートとの間に吸収体が介在された吸収性物品において、
前記吸収体は、吸収性物品の長手方向に沿って複数の吸収体が互いに重ね代をもって連設され、前記透液性表面シート及び裏面シートは伸縮可能なように中間に折り畳み部を有し、
前記連設された複数の吸収体の内、前部側及び／又は後部側吸収体を引き出すことにより前記吸収性物品の長手寸法を調整可能としたことを特徴とする吸収性物品が提供される。
【０００９】
上記請求項１記載の本発明では、前記透液性表面シート及び裏面シートは伸縮可能なように中間に折り畳み部を有し、連設された複数の吸収体の内、前部側及び／又は後部側吸収体を引き出すことにより前記吸収性物品の長手寸法を調整可能としたため、個人の体型に合わせて任意に長さ調整が可能となる。また、前記吸収体は、吸収性物品の長手方向に沿って複数の吸収体が互いに重ね代をもって連設されるようにしているため、体液排出量が多い場合でも十分対応可能な吸収性能を備えることができる。
【００１０】
請求項２に係る本発明として、前記吸収体は、吸収性物品の長手方向に沿って互いに重ね代をもって連設された２枚の吸収体である請求項１記載の吸収性物品が提供される。
【００１１】
請求項３に係る本発明として、前記裏面シートに形成された折り畳み部は、裏面シートを前記吸収性物品の長手方向に折り畳むとともに、この折り畳み状態からの展開を段階的に拘束した折り畳み部である請求項１、２いずれかに記載の吸収性物品が提供される。
【００１２】
請求項４に係る本発明として、前記折り畳み部は、吸収性物品の長手方向に間隔をおいて裏面シートが内側に折り畳まれた折り畳み部が複数設けられるとともに、各折り畳み部の内面側で剥離可能に接合されるとともに、各折り畳み部での接合強度を異ならせることにより折り畳み状態からの展開を段階的に拘束するようにした請求項３記載の吸収性物品が提供される。
【００１３】
上記請求項３、４記載の本発明は、前記折り畳み部の具体的な形成態様を示したものであり、裏面シートに、該裏面シートを前記吸収性物品の長手方向に折り畳むとともに、この折り畳み状態からの展開を段階的に拘束した折り畳み部を形成することによって、前記折り畳み部の折り畳み状態から展開状態へと、段階的に吸収性物品を伸長させることが可能となる。また、前記折り畳み部を吸収性物品の長手方向に間隔をおいて複数設け、各折り畳み部の内面側で剥離可能に接合されるとともに、各折り畳み部での接合強度を異ならせることにより、前部側及び／又は後部側吸収体を引き出す際に、接合強度の低い折り畳み部から順に展開でき、吸収性物品の段階的な伸長が可能となる。
【００１４】
請求項５に係る本発明として、前記吸収体の重ね代部分において、一方側吸収体の端部中央に他方側吸収体側に向かって突出する突出片部を設けてある請求項１〜４いずれかに記載の吸収性物品が提供される。
【００１５】
上記請求項５記載の本発明では、前記突出片部が、使用時に吸収体の幅方向中央部を中高に形成した中高部として機能するため、該中高部が身体にフィットして体液を素早く吸収できるようになる。さらに、体液との接触機会が最も多くなる部分の吸収体を部分的に多層構造とすることにより、全体として体液の吸収性能が向上できるとともに、吸収体のゴワ付き感を軽減できる。
【００１６】
請求項６に係る本発明として、前記吸収体の重ね代部分において、横ズレ拘束手段を備える請求項１〜５いずれかに記載の吸収性物品が提供される。
【００１７】
請求項７に係る本発明として、前記横ズレ拘束手段は、吸収体同士を透液性のシート材によって幅方向に巻回したものである請求項６記載の吸収性物品が提供される。
【００１８】
上記請求項６、７記載の本発明は、吸収体同士を透液性のシート材によって幅方向に巻回するなどして、前記吸収体の重ね代部分において横ズレ拘束手段を備えることにより、吸収体の横ズレが防止でき、吸収性物品の長手方向への寸法調整を容易にしている。
【００１９】
請求項８に係る本発明として、前記各吸収体は、吸収性物品の長手寸法の調整を阻害しない領域にて、前記透液性表面シート及び／又は裏面シートと接合されている請求項１〜７いずれかに記載の吸収性物品が提供される。
【００２０】
上記請求項８記載の本発明では、前記各吸収体は、吸収性物品の長手寸法の調整を阻害しない領域にて、前記透液性表面シート及び／又は裏面シートと接合することにより、吸収体の位置ズレを防止できるとともに、吸収体の吸収性物品の長手方向への移動を容易ならしめている。
【発明の効果】
【００２１】
以上詳説のとおり本発明によれば、個人の体型に合わせて長さ調整ができるとともに、体液排出量が多い場合でも十分対応可能な吸収性能を備えた吸収性物品が実現できる。
【発明を実施するための最良の形態】
【００２２】
以下、本発明の実施の形態について図面を参照しながら詳述する。図１は本発明に係る生理用ナプキン１の一部破断展開図、図２はそのII−II線矢視図、図３は図１のIII−III線矢視図である。
【００２３】
本生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布６，６とから構成されている。前記吸収体４の周囲において、その上下端縁部では、前記サイド不織布６と不透液性裏面シート２又は透液性表面シート３との外縁部がホットメルトなどの接着剤やヒートシール等の接着手段によって接合されている。
【００２４】
以下、さらに前記生理用ナプキン１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２５】
前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００２６】
前記不透液性裏面シート２と表面シート３との間に介在される吸収体４は、綿状パルプからなるものが好ましい。このとき、綿状パルプは、凹状エンボスを施す場合を考慮して、５０〜７００g/m2、好ましくは１００〜６５０g/m2の目付とすることが好ましい。また、このパルプ中に高吸水性樹脂を混入したもの、或いはパルプ中に化学繊維を混入させるとともに、高吸水性樹脂を混入したものを使用することもできる。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２７】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００２８】
一方、本生理用ナプキン１の表面がわ両側部にはそれぞれ、長手方向に沿ってかつナプキン１のほぼ全長に亘ってサイド不織布６，６が設けられている。前記サイド不織布６としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。一方、経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２９】
本発明では特に、個人の体型又は生理状態に適合した生理用ナプキン１とするため、まず第１に、前記吸収体４は、生理用ナプキン１の長手方向に沿って複数の吸収体、図示例では前側吸収体４Ａと後側吸収体４Ｂとからなる２枚の吸収体が互いに重ね代７をもって連設した構造とされる。また第２に、前記透液性表面シート３及び裏面シート２は、生理用ナプキン１の長手方向に伸縮可能なように中間に折り畳み部８、９…を有する構造とされる。このような構成からなる本生理用ナプキン１は、使用の際、必要に応じて、図４に示されるように、前記前側吸収体４Ａ及び／又は後側吸収体４Ｂを引き出すことにより、前記折り畳み部８、９…を折り畳み状態から展開状態とし、生理用ナプキン１の長手寸法を段階的に調整可能となっている。これにより、個人の体型に適合したナプキンが実現されるとともに、前述の通り吸収体に重ね代７が形成されるため、体液の排出量が多い場合にも十分対応可能な吸収性能が備えられている。
【００３０】
前記表面シート３側に形成された折り畳み部８は、図示例では表面シート３を１往復させた折り畳みとなっているが、複数回往復させ重合部を小幅とした折り畳み構造としてもよい。
【００３１】
前記裏面シート２側に形成された折り畳み部９は、図２に示されるように、裏面シート２を生理用ナプキン１の長手方向に折り畳むとともに、この折り畳み状態からの展開が段階的に拘束されるようになっている。具体的には、前記折り畳み部９は、裏面シート２の全幅に亘って、該裏面シート２を内側に折り畳むとともに、この折り畳み部９の内面側で、前記裏面シート２同士がホットメルト接着剤、熱融着などの接合手段により剥離可能に接合された構造となっている。
【００３２】
前記折り畳み部９は、生理用ナプキン１の段階的な長手寸法の調整を可能となするため、同図に示されるように、生理用ナプキン１の長手方向に間隔をおいて複数箇所、好ましくは２〜３箇所、図示例では３箇所設けるようにすることが好ましい。このとき各折り畳み部９、９…に設けられる接合手段の接合強度は、均等に形成しても良いが、各折り畳み部９、９…において接合強度を異ならせるようにすることが好ましい。より好ましくは、生理用ナプキン１の後側から前側に向かって接合強度を順次増大又は減少させるようにする。各折り畳み部の接合強度を異ならせることにより、前側吸収体４Ａ及び／又は後側吸収体４Ｂを引き出す際に、図２に示される状態から、図４(A)〜(C)に示されるように、接合強度の低い折り畳み部９から順に、図示例の場合は後側の折り畳み部９から順に展開でき、生理用ナプキン１の段階的な伸長が可能となる。
【００３３】
一方、前記各吸収体４Ａ、４Ｂは、生理用ナプキン１の長手寸法の調整を阻害しない領域にて、表面シート３及び／又は裏面シート２と接合されることが好ましい。前記長手寸法の調整を阻害しない領域とは、例えば図２に示されるように、折り畳み部９が形成されない前側吸収体４Ａでは、非肌当接面側の裏面シート２との接触領域及び肌当接面側の表面シート３との接触領域を指し、折り畳み部９が形成される後側吸収体４Ｂでは、非肌当接面側の折り畳み部９、９…形成領域より後側の裏面シート２との接触領域及び肌当接面側の表面シート３との接触領域を指す。前記各吸収体４Ａ、４Ｂは、共にパルプ積繊からなる同種の吸収体としても良いし、共に薄いシート状パルプからなる同種の吸収体としても良い。更には、一方をパルプ積繊とし、他方は薄いシート状パルプを用いて構成することも可能である。
【００３４】
一方、前記重ね代７は、体液が排出される排出口対応領域を含む部分に形成することが好ましい。排出口対応領域を含む部分が、吸収体４が積層された重ね代７とされることによって、ある程度多量の体液が排出されても十分な吸収性能を有するようになる。なお、前記重ね代７において、図示例では後側吸収体４Ｂが下層側、前側吸収体４Ａが上層側としているが、この関係を逆とし、前記後側吸収体４Ｂを上層側、前側吸収体４Ａを下層側としてもよい。
【００３５】
また、本生理用ナプキン１は、図５及び図６に示されるように、吸収体４Ａ、４Ｂの重ね代７部分において、一方側吸収体の端部中央に他方側吸収体側に向かって突出する突出片部１０を設けるようにしてもよい。図５は、後側吸収体４Ｂの端部中央に前側吸収体４Ａ側に向かって突出する突出片部１０を設けた例であり、図６は、前側吸収体４Ａの端部中央に後側吸収体４Ｂに向かって突出する突出片部１０を設けた例である。前記突出片部１０は、使用時に吸収体の幅方向中央部を中高に形成した中高部として機能し、該中高部が身体にフィットして体液を素早く吸収するものである。さらに、体液との接触機会が最も多くなる部分の吸収体を部分的に多層構造とすることにより、全体として体液の吸収性能が向上できるとともに、吸収体のゴワ付き感が軽減できる。
【００３６】
本生理用ナプキン１は、図７に示されるように、吸収体４Ａ、４Ｂの重ね代７部分において、該吸収体４Ａ、４Ｂ同士の横ズレを拘束するための横ズレ拘束手段が施されるようにしてもよい。前記横ズレ拘束手段は、吸収体４Ａ、４Ｂ同士をクレープ紙、不織布などの透液性のシート材１１によって幅方向に巻回したものとすることができる。
【００３７】
また、前記吸収体４Ａ、４Ｂには、吸収体を身体にフィットさせ、体液の吸収を向上させることを目的として種々の形状で凹状エンボスを施すことができる。このエンボス加工に際しては、図８(A)に示されるように、各吸収体４Ａ、４Ｂにそれぞれエンボス１２Ａ、１２Ｂを施した後、各吸収体を互いに重ね代をもたせて連設するようにしても良く、また同図(B)に示されるように、各吸収体４Ａ、４Ｂを互いに重ね代をもたせて連設した後、各吸収体にエンボス１２Ａ、１２Ｂを施すようにしても良い。図８(A)に示されるように、各吸収体４Ａ、４Ｂにそれぞれエンボス１２Ａ、１２Ｂを施す場合は、重ね代７部分にもエンボスを付与することが可能であり、効果的に経血を拡散できるようになる。図８(B)に示されるように、各吸収体４Ａ、４Ｂを連設した後、エンボスを施す場合は、重ね代７を避けてエンボスを施す必要があるが、１回のエンボス工程で済むようになる。
【００３８】
〔他の形態例〕
(1)上記形態例では、折り畳み部９、９…は、吸収性物品の長手方向に間隔をおいて裏面シート２が内側に折り畳まれた折り畳み部が複数設けられるとともに、各折り畳み部９の内面側で剥離可能に接合されることによって形成していたが、図９(A)、(B)に示されるように、裏面シート２が内側又は外側に折り畳まれた折り畳み部１３が１箇所に設けられるとともに、折り畳み部１３の内面側で剥離可能な接合部１４、１４…が、生理用ナプキン１の長手方向に間隔をおいて複数設けられることによって形成しても良い。前記折り畳み部１３の内面側には、剥離可能な接合部１４、１４が生理用ナプキン１の長手方向に間隔をおいて複数設けられているため、連設された複数の吸収体の内、前部側及び／又は後部側吸収体を引き出す操作により、段階的に拘束された接合部１４、１４…の接合が順次解除され、裏面シート２を折り畳み状態から段階的に展開することが可能となる。この場合、接合部１４、１４…の接合強度はそれぞれ同等としてもよいが、前部側及び／又は後部側吸収体を引き出した際に、その接合が解除される順に大きくなるようにすることが好ましい。なお、上記のように裏面シート２と表面シート３との折り畳み態様を同じにすることにより、折り畳み加工が容易に行えるようになるとともに、展開もスムーズに行えるようになる。
(2)上記形態例では、吸収体４は前側吸収体４Ａと後側吸収体４Ｂとからなる２枚の吸収体が互いに重ね代７をもって連設されるようにしたが、３枚以上の複数の吸収体が互いに重ね代７、７…をもって連設されるようにしてもよい。
【図面の簡単な説明】
【００３９】
【図１】本発明に係る生理用ナプキン１の一部破断展開図である。
【図２】そのII−II線矢視図である。
【図３】図１のIII−III線矢視図である。
【図４】折り畳み部９の展開要領を示す図１のII−II線矢視図である。
【図５】他の形態例に係る生理用ナプキン１の展開図である。
【図６】他の形態例に係る生理用ナプキン１の展開図である。
【図７】横ズレ拘束手段を備えた生理用ナプキン１の(A)は展開図、(B)はそのB−B線矢視図である。
【図８】(A)、(B)は、凹状エンボスの施工状態を示す吸収体４の平面図である。
【図９】折り畳み部９の実施例を示す図１のII−II線矢視図である。
【符号の説明】
【００４０】
１…生理用ナプキン、２…裏面シート、３…表面シート、４…吸収体、４Ａ…前側吸収体、４Ｂ…後側吸収体、５…クレープ紙、６…サイド不織布、７…重ね代、８・９・１３…折り畳み部、１０…突出片部、１１…シート材、１２Ａ・１２Ｂ…エンボス
【図１】
2008080045.tif 000003
【図２】
2008080045.tif 000004
【図３】
2008080045.tif 000005
【図４】
2008080045.tif 000006
【図５】
2008080045.tif 000007
【図６】
2008080045.tif 000008
【図７】
2008080045.tif 000009
【図８】
2008080045.tif 000010
【図９】
2008080045.tif 000011